(57)【要約】【課題】  データが書き換えられたか否かを検知できる記録媒体、及び、これにデータを記録する記録システム、並びに、データを再生して書き換えられた否かを検知する再生システムを提供する。【解決手段】  支持体１４Ａと、支持体上１４Ａに設けられた、書き換え可能な磁性層１１Ａ（第１記録層）及びライトワンス型の光記録層１３Ａ（第２記録層）と、を備えた磁気テープ１０Ａ（記録媒体）である。  また、磁気テープ１０Ａに対して、データを記録／再生する記録再生するシステムＳ１であって、記録ヘッド２１と、再生ヘッド２３と、光記録層１３Ａにデータを書き込むデータ書き込み手段３０と、光記録層１３Ａからデータを読み取るデータ読み取り手段４０と、制御装置１００Ａとを備えた記録再生システムＳ１である。【選択図】      図１
2006053980.tif 000002
【特許請求の範囲】
【請求項１】
支持体と、当該支持体上に設けられた、書き換え可能な第１記録層及びライトワンス型の第２記録層と、を備えたことを特徴とする記録媒体。
【請求項２】
前記第１記録層は磁性層であり、前記第２記録層は光記録層であることを特徴とする請求項１に記載の記録媒体。
【請求項３】
前記磁性層、前記光記録層、前記支持体の順で積層していることを特徴とする請求項２に記載の記録媒体。
【請求項４】
前記磁性層、前記支持体、前記光記録層の順で積層していることを特徴とする請求項２に記載の記録媒体。
【請求項５】
請求項２から請求項４のいずれか１項に記載の記録媒体にデータを記録する記録システムであって、前記データを前記磁性層に記録する記録ヘッドと、ライトワンス型で前記データを前記光記録層に書き込むデータ書き込み手段と、前記記録ヘッド及び前記データ書き込み手段を制御する制御手段と、を備え、
当該制御手段は、前記記録ヘッドにより前記データの全てを前記磁性層に記録すると共に、前記データ書き込み手段により前記データの少なくとも一部を前記光記録層に重複して記録することを特徴とする記録システム。
【請求項６】
請求項２から請求項４のいずれか１項に記載の記録媒体にデータを記録する記録システムであって、前記データを前記磁性層に記録する記録ヘッドと、ライトワンス型で前記データを前記光記録層に書き込むデータ書き込み手段と、前記記録ヘッド及び前記データ書き込み手段を制御する制御手段と、を備え、
当該制御手段は、前記記録ヘッド及び前記書き込み手段により、前記データを、前記磁性層と前記光記録層とに分割して記録することを特徴とする記録システム。
【請求項７】
請求項５に記載の記録システムにより記録された記録媒体のデータを再生する再生システムであって、
前記磁性層に記録されたデータを読み取る再生ヘッドと、
前記光記録層にライトワンス型で記録されたデータを読み取るデータ読み取り手段と、
前記記録媒体への記録方式に対応して、前記再生ヘッドが読み取ったデータとデータ読み取り手段が読み取ったデータとを照合する照合部と、
を備えたことを特徴とする再生システム。
【請求項８】
請求項６に記載の記録システムにより記録された記録媒体のデータを再生する再生システムであって、
前記磁性層に記録されたデータを読み取る再生ヘッドと、
前記光記録層にライトワンス型で記録されたデータを読み取るデータ読み取り手段と、
前記記録媒体への記録方式に対応して、前記再生ヘッドが読み取ったデータとデータ読み取り手段が読み取ったデータとを結合する結合部と、
を備えたことを特徴とする再生システム。
【発明の詳細な説明】
【技術分野】
【０００１】
本発明は、書き換え可能な第１記録層と、書き換え不能なライトワンス型の第２記録層を有する記録媒体及び記録システム並びに再生システムに関する。
【背景技術】
【０００２】
高速、大容量のストレージ媒体の一種に磁気テープがある。この磁気テープに対して、近年、セキュリティの重要性から、ＷＯＲＭ（Write Only read many）を目的とした提案がされている。例えば、磁気テープカートリッジに搭載されたカートリッジメモリにＷＯＲＭか否かの情報を記録するものや（特許文献１、特許文献２、特許文献３参照）、カートリッジメモリにライトワンス領域と、ライトメニー領域を記録するものである（特許文献４参照）。
【特許文献１】特開２０００−２６８４４３号公報（段落番号００１３〜０１２８、図１）
【特許文献２】特開２００２−１５０７４１号公報（段落番号００２８〜００９４、図３）
【特許文献３】特開２００３−１２３３４２号公報（段落番号００１０〜００１８、図１）
【特許文献４】特開２００４−８６９７１号公報（段落番号００１２〜００２８、図４）
【発明の開示】
【発明が解決しようとする課題】
【０００３】
しかしながら、従来の磁気テープでは、前記カートリッジメモリに記録されたＷＯＲＭか否かの情報を無視して、「先のデータ」が記録された磁性層に、消去を含めて「後のデータ」を記録することが物理的に可能であった。すなわち、例えば、ＷＯＲＭに係る情報を無視して、「先のデータ」の全部が消去された後、「後のデータ」が記録された場合、データが書き換えられたか否かを検知できなかった。
【０００４】
そこで、本発明は、データが書き換えられたか否かを検知できる記録媒体、及び、これにデータを記録する記録システム、並びに、データを再生して書き換えられた否かを検知する再生システムを提供することを課題とする。
【課題を解決するための手段】
【０００５】
前記課題を解決するための手段として、請求項１に係る発明は、支持体と、当該支持体上に設けられた、書き換え可能な第１記録層及びライトワンス型の第２記録層と、を備えたことを特徴とする記録媒体である。
【０００６】
このような記録媒体によれば、後記実施形態で説明するように、例えば、（１）全てのデータを第１記録層に記録すると共に、そのデータの一部を第２記録層に重複して記録する方法、（２）データを分割して第１記録層と第２記録層に記録する方法を採用することによって、記録後に第１記録層に記録されたデータが書き換えられた場合、データの再生時に、記録方式に対応して、第１記録層から読み取ったデータと第２記録層から読み取ったデータとを照合、または結合させることで、第１記録層のデータが書き換えられたか否かを検知することができる。
【０００７】
請求項２に係る発明は、前記第１記録層は磁性層であり、前記第２記録層は光記録層であることを特徴とする請求項１に記載の記録媒体である。
【０００８】
このような記録媒体によれば、磁性層からなる第１記録層、光記録層からなる第２記録層を容易に構成することができる。
【０００９】
請求項３に係る発明は、前記磁性層、前記光記録層、前記支持体の順で積層していることを特徴とする請求項２に記載の記録媒体である。
【００１０】
このような記録媒体によれば、磁性層側に、記録ヘッド及び再生ヘッドを配置することで、データの書き込み、読み込みを良好に行うことができる。
なお、磁性層、光記録層、支持体の順であれば、各層間に別の層（例えば、反射層、下層）が介在していてもよい。
【００１１】
請求項４に係る発明は、前記磁性層、前記支持体、前記光記録層の順で積層していることを特徴とする請求項２に記載の記録媒体である。
【００１２】
このような記録媒体によれば、光記録層が外側に配置（位置）しているため、例えば、再生時のノイズを下げることができる。
【００１３】
請求項５に係る発明は、請求項２から請求項４のいずれか１項に記載の記録媒体にデータを記録する記録システムであって、前記データを前記磁性層に記録する記録ヘッドと、ライトワンス型で前記データを前記光記録層に書き込むデータ書き込み手段と、前記記録ヘッド及び前記データ書き込み手段を制御する制御手段と、を備え、当該制御手段は、前記記録ヘッドにより前記データの全てを前記磁性層に記録すると共に、前記データ書き込み手段により前記データの少なくとも一部を前記光記録層に重複して記録することを特徴とする記録システムである。
【００１４】
このような記録システムによれば、制御手段により、データの全てを磁性層に記録すると共に、データの一部を光記録層に重複して書き込むことができる。したがって、このように磁性層と光記録層とにデータを書き込んだ後、磁性層のデータと光記録層のデータとを照合することで、磁性層のデータが書き換えられたか否かをチェックすることができる。
【００１５】
請求項６に係る発明は、請求項２から請求項４のいずれか１項に記載の記録媒体にデータを記録する記録システムであって、前記データを前記磁性層に記録する記録ヘッドと、ライトワンス型で前記データを前記光記録層に書き込むデータ書き込み手段と、前記記録ヘッド及び前記データ書き込み手段を制御する制御手段と、を備え、当該制御手段は、前記記録ヘッド及び前記書き込み手段により、前記データを、前記磁性層と前記光記録層とに分割して記録することを特徴とする記録システムである。
【００１６】
このような記録システムによれば、制御手段により、データを磁性層と光記録層とに分割して記録することができる。したがって、このように磁性層と光記録層とにデータを分割して書き込んだ後、磁性層のデータが書き換えられると、データを再結合できなくなり、読み出せなくなる。よって、磁性層のデータが書き換えられたか否かをチェックすることができる。
【００１７】
請求項７に係る発明は、請求項５に記載の記録システムにより記録された記録媒体のデータを再生する再生システムであって、前記磁性層に記録されたデータを読み取る再生ヘッドと、前記光記録層にライトワンス型で記録されたデータを読み取るデータ読み取り手段と、前記記録媒体への記録方式に対応して、前記再生ヘッドが読み取ったデータとデータ読み取り手段が読み取ったデータとを照合する照合部と、を備えたことを特徴とする再生システムである。
【００１８】
このような再生システムによれば、記録媒体への記録方式に対応して、照合部が、再生ヘッドにより読み取ったデータと、データ読み取り手段により読み取ったデータとを照合することで、磁性層に記録されたデータが書き換えられたか否かを検知することができる。
【００１９】
請求項８に係る発明は、請求項６に記載の記録システムにより記録された記録媒体のデータを再生する再生システムであって、前記磁性層に記録されたデータを読み取る再生ヘッドと、前記光記録層にライトワンス型で記録されたデータを読み取るデータ読み取り手段と、前記記録媒体への記録方式に対応して、前記再生ヘッドが読み取ったデータとデータ読み取り手段が読み取ったデータとを結合する結合部と、を備えたことを特徴とする再生システムである。
【００２０】
このような記録システムによれば、記録媒体への記録方式に対応して、結合部が、再生ヘッドが読み取ったデータと、読み取り手段が読み取ったデータとを結合するときに、結合不能であった場合、磁性層に記録されたデータが書き換えられたことを検知することができる。
【発明の効果】
【００２１】
本発明によれば、データが書き換えられたか否かを検知できる記録媒体、及び、これにデータを記録する記録システム、並びに、データを再生して書き換えられた否かを検知する再生システムを提供することができる。
【発明を実施するための最良の形態】
【００２２】
以下、添付図面を参照して、本発明の各実施形態について説明する。なお、各実施形態の説明において、同一の構成要素に関しては同一の符号を付し、重複した説明は省略するものとする。
【００２３】
≪第１実施形態≫
まず、第１実施形態に係る磁気テープ（記録媒体）及び記録再生システム（記録システムかつ再生システム）について、図１から図３を参照して説明する。
参照する図面において、図１は、第１実施形態に係る磁気テープ及び記録再生システムの構成を模式的に示す断面図である。図２は、図１に示す制御装置の構成を模式的に示すブロック図である。図３は、第１実施形態におけるデータの記録方式の概念図である。
【００２４】
＜磁気テープの構成＞
まず、第１実施形態に係る磁気テープの構成について説明する
図１に示すように、磁気テープ１０Ａは５層構造を有しており、記録ヘッド２１及び再生ヘッド２３に摺接するヘッド側から、ガイドローラ等に摺接するバック側に向かって、磁性層１１Ａ（第１記録層）、反射層１２Ａ、光記録層１３Ａ（第２記録層）、支持体１４Ａ、バックコート層１５Ａの順に積層して構成されている。すなわち、磁気テープ１０Ａは、支持体１４Ａの一方の面側（ヘッド側）に、光記録層１３Ａ、反射層１２Ａ、磁性層１１Ａがこの順番で積層し、支持体１４Ａの他方の面側（バック側）に、バックコート層１５Ａが積層して構成されている。
【００２５】
［磁性層］
磁性層１１Ａは、１０〜３００ｎｍ（好ましくは１０〜３００ｎｍ、さらに好ましくは１０〜２００ｎｍ、最も好ましくは１０〜１００ｎｍ）の厚みを有しており、磁気的にデータの書き込み及びデータの書き換えが可能な層である。
このような磁性層１１Ａは、強磁性粉末及び結合剤から形成されている。また、磁性層１１Ａには、通常、導電性粉末（例、カーボンブラック）、研磨剤、そして潤滑剤が含まれている。
【００２６】
（強磁性粉末）
強磁性粉末としては、例えば、磁性酸化鉄ＦｅＯx（ｘ＝１．３３〜１．５）、Ｃｏ変性ＦｅＯx（ｘ＝１．３３〜１．５）、Ｆｅ、Ｎｉ又はＣｏを主成分（７５％以上）とする強磁性合金粉末（強磁性金属粉末）、及び板状六方晶フェライト粉末などの公知の強磁性粉末を使用することができる。特に、強磁性合金粉末の使用が好ましい。強磁性粉末には所定の原子の他に、Ａｌ、Ｓｉ、Ｓ、Ｓｃ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｂａ、Ｔａ、Ｗ、Ｒｅ、Ａｕ、Ｈｇ、Ｐｂ、Ｂｉ、Ｌａ、Ｃｅ、Ｐｒ、Ｎｄ、Ｐ、Ｃｏ、Ｍｎ、Ｚｎ、Ｎｉ、Ｓｒ及びＢの内の少なくとも一つの原子を含んでいてもかまわない。
【００２７】
強磁性粉末は、分散剤、潤滑剤、界面活性剤、帯電防止剤などで分散前に予め処理を行ってもかまわない。具体的には、特公昭４４−１４０９０号、特公昭４５−１８３７２号、特公昭４７−２２０６２号、特公昭４７−２２５１３号、特公昭４６−２８４６６号、特公昭４６−３８７５５号、特公昭４７−４２８６号、特公昭４７−１２４２２号、特公昭４７−１７２８４号、特公昭４７−１８５０９号、特公昭４７−１８５７３号、特公昭３９−１０３０７号、及び特公昭４８−３９６３９号の各公報、そして米国特許第３０２６２１５号、同３０３１３４１号、同３１００１９４号、同３２４２００５号、及び同３３８９０１４号の各明細書に記載されている処理方法を利用することができる。なお、強磁性合金粉末には少量の水酸化物又は酸化物が含まれていてもよい。
【００２８】
（強磁性粉末−強磁性合金粉末）
強磁性合金粉末は、その粒子の比表面積が好ましくは３０〜７０ｍ2／ｇであって、Ｘ線回折法から求められる結晶子サイズは、５〜３０ｎｍである。比表面積が余り小さいと高密度記録に充分に対応できなくなり、又余り大き過ぎても分散が充分に行えず、従って平滑な面の磁性層１１Ａが形成できなくなるため同様に高密度記録に対応できなくなる。
【００２９】
強磁性合金粉末には、例えばＦｅが含まれている。具体的には、Ｆｅ−Ｃｏ、Ｆｅ−Ｎｉ、Ｆｅ−Ｚｎ−Ｎｉ又はＦｅ−Ｎｉ−Ｃｏを主体とした金属合金である。なお、Ｆｅ単独でもよい。またこれらの強磁性合金粉末は、高い記録密度を達成するために、好ましくは、その飽和磁化量（飽和磁束密度）（σｓ）は１１０Ａ・ｍ2／ｋｇ以上、更に好ましくは１２０Ａ・ｍ2／ｋｇ以上、１７０Ａ・ｍ2／ｋｇ以下である。保磁力（Ｈｃ）は１５００〜２５００エルステッド（Ｏｅ）（１１９〜１９９ｋＡ／ｍ）（好ましくは、１７００〜２２００エルステッド（１３５〜１７５ｋＡ／ｍ）、特に好ましくは、１８００〜２１００エルステッド（１４３〜１６７ｋＡ／ｍ））の範囲にあることが好ましい。
また、透過型電子顕微鏡により求められる強磁性合金粉末の平均長軸長は０．１５μｍ以下、好ましくは０．０１〜０．１２μｍで、針状比（長軸長／短軸長の算術平均値）は３〜１２、好ましくは４〜１０である。更に特性を改良するために、組成中にＢ、Ｃ、Ａｌ、Ｓｉ、Ｐ等の非金属、もしくはその塩、酸化物が添加されることもある。通常、前記強磁性合金粉末の粒子表面は、化学的に安定させるために酸化物の層が形成されている。
【００３０】
（強磁性粉末−板状六方晶フェライト粉末）
板状六方晶フェライト粉末は、平板状でその平板面に垂直な方向に磁化容易軸がある強磁性体である。板状六方晶フェライト粉末としては、具体的に、バリウムフェライト（マグネトブランバイト型や一部にスピネル相を含有したマグネトブランバイト型）、ストロンチウムフェライト（マグネトブランバイト型や一部にスピネル相を含有したマグネトブランバイト型）、鉛フェライト、カルシウムフェライト、及びそれらのコバルト置換体等を挙げることができる。これらの中では、特にバリウムフェライトのコバルト置換体、ストロンチウムフェライトのコバルト置換体が好ましい。本発明で用いる板状六方晶フェライト粉末には、抗磁力を制御するために、必要に応じてＣｏ−Ｔｉ、Ｃｏ−Ｔｉ−Ｚｒ、Ｃｏ−Ｔｉ−Ｚｎ、Ｎｉ−Ｔｉ−Ｚｎ、あるいはＩｒ−Ｚｎ等の元素を添加したものを使用することができる。
【００３１】
板状六方晶フェライト粉末において、板径は六角板状の粒子の板の幅を意味し電子顕微鏡で測定することができる。本発明で用いる板状六方晶フェライト粉末は、粒子サイズ（平均板径）が０．００１〜０．０５μｍの範囲にあることが好ましく、板状比（板径／板厚の算術平均値）が２〜１０の範囲にあることが好ましく、またその比表面積が２０〜８０ｍ2／ｇの範囲にあることが好ましい。板状六方晶フェライト粉末は、強磁性金属粉末と同じ理由からその粒子サイズが大きすぎても小さすぎても高密度記録が難しくなる。またこれらの板状六方晶フェライト粉末は、高い記録密度を達成するために、その飽和磁化（σｓ)は少なくとも５０Ａ・ｍ2／ｋｇ以上（更に好ましくは５３Ａ・ｍ2／ｋｇ以上）であることが好ましい。また保磁力（Ｈｃ）は１５００〜２５００エルステッド（Ｏｅ）（１１９〜１９９ｋＡ／ｍ）（好ましくは、１７００〜２２００エルステッド（１３５〜１７５ｋＡ／ｍ）、特に好ましくは、１８００〜２１００エルステッド（１４３〜１６７ｋＡ／ｍ））の範囲にあることが好ましい。
【００３２】
（強磁性粉末の含水率）
強磁性粉末の含水率は０．０１〜２重量％とすることが好ましい。また結合剤（樹脂）の種類によって含水率を最適化することが好ましい。強磁性粉末のｐＨは用いる結合剤との組み合わせにより最適化することが好ましく、そのｐＨは通常４〜１２の範囲であり、好ましくは５〜１０の範囲である。強磁性粉末は、必要に応じて、Ａｌ、Ｓｉ、Ｐ、Ｙ又はこれらの酸化物などでその表面の少なくとも一部が被覆されているものが好ましい。表面処理を施す際のその使用量は、通常強磁性粉末に対して、０．１〜１０重量％である。このように被覆された強磁性粉末は、脂肪酸などの潤滑剤の吸着が１００ｍｇ／ｍ2以下に抑えられるので、潤滑剤の磁性層１１Ａへの添加量を少なくしても、所望の効果が達成できる。強磁性粉末には可溶性のＮａ、Ｃａ、Ｆｅ、Ｎｉ、及びＳｒなどの無機イオンが含まれる場合があるが、その含有量はできるだけ少ないことが好ましい。通常は５０００ｐｐｍ以下であれば特性に影響を与えることはない。なお、前記した強磁性粉末及びその製造方法は、例えば、特開平７−２２２２４号公報に記載されている。
【００３３】
（導電性粉末−カーボンブラック）
磁性層１１Ａのカーボンブラックは、磁性層１１Ａの表面電気抵抗（ＲＳ）の低減、動摩擦係数（μＫ値）の低減、走行耐久性の向上、及び磁性層１１Ａの平滑な表面性を確保する等の種々の目的で添加される。カーボンブラックは、その平均粒子径が５〜３５０ｎｍ（更に好ましくは、１０〜３００ｎｍ）の範囲にあることが好ましい。また、その比表面積は５〜５００ｍ2／ｇ（更に好ましくは、５０〜３００ｍ2／ｇ）であることが好ましい。ＤＢＰ吸油量は、１０〜１０００ｍｌ／１００ｇ（更に好ましくは、５０〜３００ｍｌ／１００ｇ）の範囲にあることが好ましい。またｐＨは２〜１０、含水率は０．１〜１０％、そしてタップ密度は０．１〜１ｇ／ｍｌであることが好ましい。
【００３４】
カーボンブラックは様々な製法で得たものが使用できる。使用できるカーボンブラックの例としては、ファーネスブラック、サーマルブラック、アセチレンブラック、チャンネルブラック及びランプブラックを挙げることができる。カ−ボンブラックの具体的な商品例としては、ＢＬＡＣＫＰＥＡＲＬＳ ２０００、１３００、１０００、９００、８００、７００、ＶＵＬＣＡＮ ＸＣ−７２（以上、キャボット社製）、＃３５、＃５０、＃５５、＃６０及び＃８０（以上、旭カ−ボン（株）製）、＃３９５０Ｂ、＃３７５０Ｂ、＃３２５０Ｂ、＃２４００Ｂ、＃２３００Ｂ、＃１０００、＃９００、＃４０、＃３０、及び＃１０Ｂ（以上、三菱化学（株）製）、ＣＯＮＤＵＣＴＥＸ ＳＣ、ＲＡＶＥＮ、１５０、５０、４０、１５（以上、コロンビアカ−ボン社製）、ケッチェンブラックＥＣ、ケッチェンブラックＥＣＤＪ−５００及びケッチェンブラックＥＣＤＪ−６００（以上、ライオンアグゾ（株）製）を挙げることができる。カーボンブラックの通常の添加量は、強磁性粉末１００質量部に対して、０．１〜３０質量部（好ましくは、０．２〜１５質量部）の範囲にある。
【００３５】
（研磨剤）
磁性層１１Ａの研磨剤としては、例えば、溶融アルミナ、α−アルミナ、炭化珪素、酸化クロム（Ｃｒ2Ｏ3）、コランダム、人造コランダム、ダイアモンド、人造ダイアモンド、ザクロ石、エメリー（主成分：コランダムと磁鉄鉱）を挙げることができる。これらの研磨剤は、モース硬度５以上（好ましくは６以上、特に好ましくは８以上）であり、平均粒子径が、０．０５〜１μｍ（更に好ましくは、０．２〜０．８μｍ）の大きさのものが好ましい。研磨剤の添加量は、通常強磁性粉末１００質量部に対して、３〜２５質量部（好ましくは、３〜２０質量部）の範囲にある。
【００３６】
（潤滑剤）
磁性層１１Ａの潤滑剤は、磁性層１１Ａ表面ににじみ出ることによって、磁性層１１Ａ表面と記録ヘッド２１などとの摩擦を緩和し、摺接状態を円滑に維持させるために添加される。潤滑剤としては、例えば、脂肪酸及び脂肪酸エステルを挙げることができる。
【００３７】
（潤滑剤−脂肪酸）
脂肪酸としては、例えば、酢酸、プロピオン酸、２−エチルヘキサン酸、ラウリン酸、ミリスチン酸、パルミチン酸、ステアリン酸、ベヘン酸、アラキン酸、オレイン酸、エライジン酸、リノール酸、リノレン酸、及びパルミトレイン酸等の脂肪族カルボン酸又はこれらの混合物を挙げることができる。
【００３８】
（潤滑剤−脂肪酸エステル）
また、脂肪酸エステルとしては、例えば、ブチルステアレート、ｓｅｃ−ブチルステアレート、イソプロピルステアレート、ブチルオレエート、アミルステアレート、３−メチルブチルステアレート、２−エチルヘキシルステアレート、２−ヘキシルデシルステアレート、ブチルパルミテート、２−エチルヘキシルミリステート、ブチルステアレートとブチルパルミテートとの混合物、オレイルオレエート、ブトキシエチルステアレート、２−ブトキシ−１−プロピルステアレート、ジプロピレングリコールモノブチルエーテルをステアリン酸でアシル化したもの、ジエチレングリコールジパルミテート、ヘキサメチレンジオールをミリスチン酸でアシル化してジオールとしたもの、そしてグリセリンのオレエート等の種々のエステル化合物を挙げることができる。
【００３９】
前記した脂肪酸、及び脂肪酸エステルは、単独であるいは二以上の化合物を組み合わせて使用することができる。潤滑剤の通常の含有量は、強磁性粉末１００質量部に対して、０．２〜２０質量部（好ましくは、０．５〜１０質量部）の範囲にある。
【００４０】
（結合剤）
磁性層１１Ａの結合剤としては、例えば、熱可塑性樹脂、熱硬化性樹脂、反応型樹脂やこれらの混合物を挙げることができる。
【００４１】
（結合剤−熱可塑性樹脂）
熱可塑性樹脂の例としては、塩化ビニル、酢酸ビニル、ビニルアルコ−ル、マレイン酸、アクリル酸、アクリル酸エステル、塩化ビニリデン、アクリロニトリル、メタクリル酸、メタクリル酸エステル、スチレン、ブタジエン、エチレン、ビニルブチラール、ビニルアセタール、及びビニルエーテルを構成単位として含む重合体、あるいは共重合体を挙げることができる。
また、共重合体としては、例えば、塩化ビニル−酢酸ビニル共重合体、塩化ビニル−塩化ビニリデン共重合体、塩化ビニル−アクリルニトリル共重合体、アクリル酸エステル−アクリロニトリル共重合体、アクリル酸エステル−塩化ビニリデン共重合体、アクリル酸エステル−スチレン共重合体、メタアクリル酸エステル−アクリルニトリル共重合体、メタアクリル酸エステル−塩化ビニリデン共重合体、メタアクリル酸エステル−スチレン共重合体、塩ビニリデン−アクリロニトリル共重合体、ブタジエン−アクリロニトリル共重合体、スチレン−ブタジエン共重合体、クロロビニルエーテル−アクリル酸エステル共重合体を挙げることができる。
その他に、熱可塑性樹脂としては、ポリアミド樹脂、繊維素系樹脂（セルロースアセテートブチレート、セルロースダイアセテート、セルロースプロピオネート、ニトロセルロースなど）、ポリ弗化ビニル、ポリエステル樹脂、ポリウレタン樹脂、各種ゴム系樹脂なども利用することができる。
【００４２】
（結合剤−熱硬化性樹脂、反応型樹脂）
また熱硬化性樹脂または反応型樹脂としては、例えば、フェノール樹脂、エポキシ樹脂、ポリウレタン硬化型樹脂、尿素樹脂、メラミン樹脂、アルキド樹脂、アクリル系反応樹脂、ホルムアルデヒド樹脂、シリコーン樹脂、エポキシ−ポリアミド樹脂、ポリエステル樹脂とポリイソシアネートプレポリマーの混合物、ポリエステルポリオールとポリイソシアネートの混合物、ポリウレタンとポリイソシアネートの混合物を挙げることができる。
【００４３】
ポリイソシアネートとしては、例えば、トリレンジイソシアネート、４，４’−ジフェニルメタンジイソシアネート、ヘキサメチレンジイソシアネート、キシリレンジイソシアネート、ナフチレン−１，５−ジイソシアネート、ｏ−トルイジンジイソシアネート、イソホロンジイソシアネート、トリフェニルメタントリイソシアネートなどのイソシアネート類、これらのイソシアネート類とポリアルコールとの生成物、及びイソシアネート類の縮合によって生成したポリイソシアネートを挙げることができる。
【００４４】
ポリウレタン（樹脂）としては、ポリエステルポリウレタン、ポリエーテルポリウレタン、ポリエーテルポリエステルポリウレタン、ポリカーボネートポリウレタン、ポリエステルポリカーボネートポリウレタン、及びポリカプロラクトンポリウレタンなどの構造を有する公知のものが使用できる。
【００４５】
すなわち、本発明において、磁性層１１Ａの結合剤は、塩化ビニル樹脂、塩化ビニル−酢酸ビニル共重合体、塩化ビニル−酢酸ビニル−ビニルアルコール共重合体、塩化ビニル−酢酸ビニル−無水マレイン酸共重合体、及びニトロセルロースの中から選ばれる少なくとも１種の樹脂と、ポリウレタン樹脂との組合せ、あるいはこれらに更に硬化剤としてのポリイソシアネートを加えた組み合わせで構成されていることが好ましい。
【００４６】
結合剤は、より優れた分散性と得られる層の耐久性を得るために必要に応じて、−ＣＯＯＭ、−ＳＯ3Ｍ、−ＯＳＯ3Ｍ、−Ｐ＝Ｏ（ＯＭ）2、−Ｏ−Ｐ＝Ｏ（ＯＭ）2（Ｍは水素原子又はアルカリ金属を表わす。）、−ＯＨ、−ＮＲ2、−Ｎ+Ｒ3（Ｒは炭化水素基を表わす。）、エポキシ基、−ＳＨ、−ＣＮなどから選ばれる少なくともひとつの極性基を共重合または付加反応で導入して用いることが好ましい。このような極性基は、結合剤に１０-1〜１０-8モル／ｇ（更に好ましくは１０-2〜１０-6モル／ｇ）の量で導入されていることが好ましい。
【００４７】
磁性層１１Ａ中の結合剤は、強磁性粉末１００質量部に対して、通常５〜５０質量部（好ましくは１０〜３０質量部）の範囲で用いられる。なお、磁性層１１Ａに結合剤として塩化ビニル系樹脂、ポリウレタン樹脂、及びポリイソシアネートを組み合わせて用いる場合は、全結合剤中に、塩化ビニル系樹脂が５〜７０重量％、ポリウレタン樹脂が２〜５０重量％、そしてポリイソシアネートが２〜５０重量％の範囲の量で含まれるように用いることが好ましい。
【００４８】
磁性層１１Ａを形成するための塗布液には、強磁性粉末、カーボンブラックなどの粉末を結合剤中に良好に分散させるために、分散剤を添加することができる。また必要に応じて、可塑剤、カーボンブラック以外の導電性粒子（帯電防止剤）、防黴剤などを添加することができる。分散剤としては、例えば、カプリル酸、カプリン酸、ラウリン酸、ミリスチン酸、パルミチン酸、ステアリン酸、ベヘン酸、オレイン酸、エライジン酸、リノール酸、リノレン酸、ステアロール酸等の炭素数１２〜１８個の脂肪酸（ＲＣＯＯＨ、Ｒは炭素数１１〜１７個のアルキル基、又はアルケニル基）、前記脂肪酸のアルカリ金属又はアルカリ土類金属からなる金属石けん、前記の脂肪酸エステルのフッ素を含有した化合物、前記脂肪酸のアミド、ポリアルキレンオキサイドアルキルリン酸エステル、レシチン、トリアルキルポリオレフィンオキシ第四級アンモニウム塩（アルキルは炭素数１〜５個、オレフィンは、エチレン、プロピレンなど）、硫酸塩、及び銅フタロシアニン等を使用することができる。これらは、単独でも組み合わせて使用してもよい。分散剤は、結合剤１００質量部に対して０．５〜２０質量部の範囲で添加される。
【００４９】
［反射層］
反射層１２Ａは、１０〜８００ｎｍ（好ましくは２０〜５００ｎｍ、さらに好ましくは５０〜３００ｎｍ）の厚みを有しており、再生時にバック側から照射される読み取りレーザを、高い反射率で反射するための層である。なお、反射率は、７０％以上であることが好ましい。
【００５０】
反射層１２Ａを形成する物質、つまり、レーザに対して高い反射率を有する光反射性物質としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの光反射性物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌあるいはこれらの合金であり、最も好ましくは、Ａｕ、Ａｇあるいはこれらの合金である。
そして、反射層１２Ａは、これら光反射性物質を、真空蒸着、スパッタリングまたはイオンプレーティングすることで形成することができる。
【００５１】
［光記録層］
光記録層１３Ａは、ライトワンス型（追記型）の記録層であり、一旦、データが書き込まれた後は、物理的にデータを書き換える（データ消去も含む）ことはできない層である。
さらに説明すると、光記録層１３Ａは、レーザ（光）の照射による発熱またはフォトン（光子）によって、化学構造が変化し、反射・透過・屈折・偏向度などの光学特性が変化する有機色素を含有することができる。
【００５２】
光記録層１３Ａに含まれる有機色素としては、シアニン系、フタロシアニン系、ナフタロシアニン系、アゾ系、アントラキノン系、ナフトキノン系、ピリリウム系、アズレニウム系、スクワリリウム系、インドフェノール系、インドアニリン系、トリアリールメタン系など公知の有機色素を用いることができる。
【００５３】
次に、光記録層１３Ａの形成方法について簡単に説明する。
光記録層１３Ａは、例えば、前記有機色素が、溶剤、樹脂、非磁性顔料と混合してなる光記録層用塗布液を、支持体１４Ａに塗布することで形成される。この場合、有機色素と、溶剤・樹脂との相溶性を高めるための置換基、非磁性顔料に対する吸着性を高めるための極性基を、有機色素を構成する分子に、光学特性を損なわない範囲で導入してもよい。
【００５４】
非磁性顔料としては、例えば、金属酸化物、金属炭酸塩、金属硫酸塩、金属窒化物、金属炭化物、金属硫化物などの非磁性の無機化合物や、メラミン樹脂、ペグゾクアナミン樹脂などを使用することができる。
【００５５】
非磁性の無機化合物としては、アルファ（α）化率９０％以上のα−アルミナ、β−アルミナ、γ−アルミナ、θ−アルミナ、炭化ケイ素、酸化クロム、酸化セリウム、α−酸化鉄、ヘマタイト、ゲータイト、コランダム、窒化ケイ素、酸化チタン、二酸化ケイ素、酸化スズ、酸化マグネシウム、酸化タングステン、酸化ジルコニウム、窒化ホウ素、酸化亜鉛、炭酸カルシウム、硫酸カルシウム、硫酸バリウム、二硫化モリブデン、酸化亜鉛、酸化インジウム、ＩＴＯ（酸化スズ−酸化インジウム）等を、単独または組み合わせて使用することができる。
このうち好ましいものは、二酸化チタン、酸化亜鉛、酸化スズ、酸化インジウム、ＩＴＯ、酸化ジルコニウム、酸化タングステン、二酸化ケイ素など、白色または無色で化学的に安定な酸化物である。特に好ましいものは、導電性の高い酸化スズ、酸化インジウム、酸化亜鉛、ＩＴＯである。また、これらの酸化物にアンチモンをドープして導電性を高めたものであってもよい。
なお、非磁性の無機化合物として、粉末状のカーボンブラック・チタンバイド等の黒色粒子は、光を吸収・遮断するため不適である。
【００５６】
［支持体］
支持体１４Ａは、ベースフィルムとも称されるベースである。支持体１４Ａは、例えば、２．０〜４．７μｍの厚さを有しており、ポリエチレンテレフタレート、全芳香族ポリアミド、全芳香族ポリアミドイミド、全芳香族ポリイミド等からなる幅広のフィルムである。
【００５７】
［バックコート層］
バックコート層１５Ａは、ガイドローラ（図示しない）などに対しての磁気テープ１０Ａの摺動性を確保するための層である。バックコート層１５Ａは、例えば、０．１〜１．０μｍの厚みを有し、カーボンブラック、炭酸カルシウム、無機質粉末等と、結合剤とのスラリを支持体１４Ａに塗布することで形成される。結合剤としては、例えば、ニトロセルロース樹脂、ポリウレタン樹脂及びポリエステル樹脂から選択された少なくとも一種に、硬化剤としてポリイソシアネート系化合物を添加したものを使用できる。
【００５８】
＜記録再生システムの構成＞
次に、記録再生システムＳ１の構成について説明する。
図１に示すように、記録再生システムＳ１は、主として、記録側の記録ヘッド２１及び光記録層１３Ａにデータを書き込むデータ書き込み手段３０と、再生側の再生ヘッド２３及び光記録層１３Ａのデータを読み取るデータ読み取り手段４０と、これらに電気的に接続した制御装置１００Ａとを備えている。
なお、第１実施形態において、記録ヘッド２１及び再生ヘッド２３は、磁気テープ１０Ａの磁性層１１Ａ側に、データ書き込み手段３０及びデータ読み取り手段４０は、磁気テープ１０Ａのバックコート層１５Ａ側に配置している。
【００５９】
［記録ヘッド］
記録ヘッド２１は、磁性層１１Ａに磁気的にデータを書き込むための磁気ヘッドであり、公知の記録ヘッドを使用することができる。
【００６０】
［データ書き込み手段］
データ書き込み手段３０は、光記録層１３Ａにライトワンス型（追記型）でデータを光学的に書き込むための手段である。データ書き込み手段３０は、主として、書き込み用のレーザ（書き込みレーザとも称される）を発生させるレーザ発生器３１と、ビームスプリッタと、レンズと、トラッキングモータ、スクリュなどからなるトラッキング機構（いずれも図示しない）とを備えて構成されている。
【００６１】
［再生ヘッド］
再生ヘッド２３は、磁性層１１Ａに磁気的に書き込まれたデータを読み取るための磁気ヘッドであり、ＭＲヘッドなどの公知の再生ヘッドを使用することができる。
【００６２】
［データ読み取り手段］
データ読み取り手段４０は、光記録層１３Ａにライトワンス型で書き込まれたデータを光学的に読み取るための手段である。データ読み取り手段４０は、主として、読み取り用のレーザ（読み取りレーザとも称される）を発生させるレーザ発生器４１と、ビームスプリッタと、レンズと、トラッキング機構（いずれも図示しない）と、光センサ４２（フォトセンサ）とを備えて構成されている。
なお、データ読み取り手段４０を構成するレーザ発生器４１、ビームスプリッタ、レンズ、トラッキング機構は、一般に、データ書き込み手段３０を構成する対応機器を共有する。
【００６３】
［制御装置］
図１に加えて図２に示すように、制御装置１００Ａは、磁気テープ１０Ａへのデータの記録時に、記録ヘッド２１及びデータ書き込み手段３０を制御する書き込み制御手段１１０Ａと、磁気テープ１０Ａからのデータの再生時に、再生ヘッド２３及びデータ読み取り手段４０を制御する読み取り制御手段１２０Ａとを備えている。
【００６４】
（書き込み制御手段）
書き込み制御手段１１０Ａは、磁気テープ１０Ａに書き込むデータの全てを記録ヘッド２１により磁性層１１Ａに書き込むと共に、前記書き込むデータの少なくとも一部をデータ書き込み手段３０により光記録層１３Ａに重複して書き込むための手段である。
【００６５】
より具体的に説明すると、書き込み制御手段１１０Ａは、データの入力側から記録ヘッド２１側に向かって、データが入力される入力部１１１と、入力されたデータの全てを記録ヘッド２１側の変調部１１３に送ると共に、当該データの一部を選択し、レーザ発生器３１側の変調部１１６へも送る選択部１１２と、送られたデータを変調しデータ信号とする変調部１１３と、このデータ信号を増幅させて記録ヘッド２１に送るアンプ１１４とを備えており、これらは電気的に接続している。
【００６６】
また、書き込み制御手段１１０Ａは、選択部１１２からレーザ発生器３１に向かって、選択部１１２が選択したデータを変調しデータ信号とする変調部１１６と、このデータ信号を増幅させてレーザ発生器３１に送るアンプ１１７とを備えており、これらは電気的に接続している。
【００６７】
選択部１１２は、「データのどの部分を選択し、この選択部分をレーザ発生器３１側へ送り、磁性層１１Ａと光記録層１３Ａとに重複して記録した」かが分かるように選択したデータを加工するようになっている。図３に示すように、第１実施形態に係る選択部１１２は、（１）入力部１１１から送られた記録するデータを、（２）データの一部を選択すると共に（図３では２つの部分を選択）、その選択したデータのヘッド情報として「アドレスＡ０１」、「アドレスＡ０２」…などを付し、前記選択された一部のデータと対応する「アドレスＡ０１」などのヘッド情報とをセットで、レーザ発生器３１側の変調部１１６へも送るという機能を有する。
（３）その結果として、変調部１１６では、選択されたデータの一部と対応する「アドレスＡ０１」などのヘッド情報とがセットで変調され、さらに、アンプ１１７により増幅された後、レーザ発生器３１に送られる。よって、光記録層１３Ａには、選択されたデータと共に、「アドレスＡ０１」のヘッド情報がセットで書き込まれるようになっている（図３参照）。
一方、記録ヘッド２１側の変調部１１３へは、「アドレスＡ０１」などのヘッド情報が付されたデータの全てが送られるため、変調部１１３により変調され、アンプ１１４により増幅された後、記録ヘッド２１に送られ、図３に示すように、磁性層１１Ａには、アドレスＡ０１」などのヘッド情報が付されたデータの全てが書き込まれるようになっている。
したがって、「アドレスＡ０１」などのヘッド情報を参照することにより、磁性層１１Ａと光記録層１３Ａとに重複して記録されたデータの先頭位置を識別可能となっている。
【００６８】
（読み取り制御手段）
読み取り制御手段１２０Ａは、再生ヘッド２３が読み取ったデータを出力すると共に、書き込み制御手段１１０Ａによる記録方式（選択部１１２による選択方式）に対応して、再生ヘッド２３が読み取ったデータとデータ読み取り手段４０が読み取ったデータとを照合して、磁性層１１Ａに記録されたデータが書き換えられたか否かを判定する手段である。
【００６９】
より具体的に説明すると、読み取り制御手段１２０Ａは、再生ヘッド２３側からデータの出力側に向かって、再生ヘッド２３からのデータ信号を増幅させるアンプ１２１と、この増幅したデータ信号を復調する復調部１２２と、復調したデータ信号をデータとして出力する出力部１２４とを備えており、これらは電気的に接続している。
【００７０】
また、読み取り制御手段１２０Ａは、光記録層１３Ａのデータを読み取る光センサ４２からのデータ信号を増幅させるアンプ１２５と、この増幅したデータ信号を復調する復調部１２６と、書き込み制御手段１１０Ａの記録方式に対応して、光記録層１３Ａのデータと磁性層１１Ａのデータとを照合する照合部１２７とを備えており、これらは電気的に接続している。
【００７１】
照合部１２７は、書き込み制御手段１１０Ａによる記録方式に対応して、再生ヘッド２３により読み取られた磁性層１１Ａのデータと、光センサ４２により読み取られた光記録層１３Ａのデータとを照合し、磁性層１１Ａのデータが書き換えられたか否かを検知する部分である。
【００７２】
照合部１２７による一照合方法を、前記選択部１１２による選択方法に対応させて説明する。
照合部１２７は、（１）磁性層１１Ａからの「アドレスＡ０１」等のヘッド情報と、光記録層１３Ａからの「アドレスＡ０１」等のヘッド情報を検出する。この検出において、磁性層１１Ａ側から対応するヘッド情報が検出されない場合、照合部１２７は磁性層１１Ａのデータが書き換えられたと判定するようになっている。
そして、磁性層１１Ａからのヘッド情報と、光記録層１３Ａからのヘッド情報とが一致している場合、照合部１２７は、（２）これらヘッド情報に続くデータ同士を照合させる。次いで、データが一致した場合、そのまま再生は継続される。一方、データが一致しない場合は、照合部１２７は、磁性層１１Ａのデータが書き換えられたと判定するようになっている。
なお、照合部１２７が、磁性層１１Ａのデータが書き換えられたと判定した場合、第１実施形態では、モニタ（図示しない）に警告が表示されるようになっている。
【００７３】
＜記録再生システムの動作＞
次に、記録再生システムＳ１の動作について、図１から図３を参照して説明する。データ記録時、データ再生時の順で説明する。
【００７４】
［データ記録時］
図２に示すように、制御装置１００Ａの入力部１１１に入力されたデータ（＝記録するデータ）は、選択部１１２に送られる。
選択部１１２は、図３に示すように、このデータの少なくとも一部（図３では２箇所の部分を選択）を選択し、その選択した部分のヘッドに、ヘッド情報として「アドレスＡ０１」、「アドレスＡ０２」を付す。このヘッド情報が付されたデータは、変調部１１３に送られる。そして、変調部１１３により変調され、アンプ１１４に増幅された後、記録ヘッド２１により磁性層１１Ａに書き込まれる。
また、選択部１１２は、前記選択されたデータと対応するヘッド情報とをセットで、変調部１１６にも送る。そして、選択されたデータとヘッド情報とのセットは、変調部１１６により変調され、アンプ１１７により増幅された後、レーザ発生器３１によりライトワンス型で光記録層１３Ａに書き込まれる（図３参照）。
このようにして、データの全てが磁性層１１Ａに記録されると共に、データの少なくとも一部が光記録層１３Ａに重複して記録される。
【００７５】
［データ再生時］
再生ヘッド２３により、磁性層１１Ａから読み取られたデータは、アンプ１２１により増幅され、復調部１２２により復調された後、出力部１２４から出力される。
一方、光センサ４２により、光記録層１３Ａから読み取られたデータは、アンプ１２５により増幅され、復調部１２６により復調された後、照合部１２７に送られる。
【００７６】
照合部１２７は、復調部１２２からの磁性層１１Ａのデータと、復調部１２６からの光記録層１３Ａのデータとを、前記「アドレスＡ０１…」のヘッド情報に基づいて、対応するデータ同士を照合する。そして、照合部１２７は、データが一致する場合、磁性層１１Ａのデータが書き換えられていないと判定し、再生がそのまま継続される。一方、データが一致しない場合や、磁性層１１Ａにヘッド情報がない場合に、照合部１２７は、磁性層１１Ａのデータが書き換えられたと判定し、警告を表示する。
【００７７】
このように第１実施形態に係る磁気テープ（記録媒体）、記録再生システムＳ１によれば、磁性層１１Ａに記録されたデータが、書き換えられたか否かを容易に検知することができる。
【００７８】
また、データの全てを、記録密度が高く且つ記録速度／読み取り速度の速い磁性層１１Ａに書き込み、データの一部を光記録層１３Ａに書き込むことにより、大きな記録容量と速い記録速度を確保することができる。
【００７９】
≪第２実施形態≫
続いて、第２実施形態に係る記録再生システムについて、図４及び図５を参照して説明する。参照する図面において、図４は、第２実施形態に係る制御装置のブロック図である。図５は、第２実施形態におけるデータの記録方式の概念図である。
なお、第２実施形態に係る記録再生システムは、第１実施形態に係る記録再生システムＳ１に対して、制御装置１００Ｂの構成が異なり、磁気テープ１０Ａへの記録方式が異なる。
【００８０】
［制御装置］
図４に示すように、第２実施形態に係る制御装置１００Ｂは、第１実施形態に係る制御装置１００Ａと同様に、書き込み制御手段１１０Ｂと、読み取り制御手段１２０Ｂとを備えている。
【００８１】
（書き込み制御手段）
書き込み制御手段１１０Ｂは、第１実施形態に係る書き込み制御手段１１０Ａに対して、記録ヘッド２１及びデータ書き込み手段３０により、データを磁性層１１Ａと光記録層１３Ａとに分割して記録する点が異なる。さらに説明すると、第２実施形態に係る書き込み制御手段１１０Ｂは、第１実施形態に係る選択部１１２に代えて、分割部１１５を備えている。
【００８２】
分割部１１５は、図５に示すように、（１）入力部１１１から送られた記録するデータを、（２）所定の条件で分割すると共に（図５では４分割）、分割されたデータのヘッドに、ヘッド情報として「アドレスＡ１１」、「アドレスＡ１２」、「アドレスＡ１３」、「アドレスＡ１４」のように連番で付し、各分割されたデータと対応するヘッド情報とをセットにして、変調部１１３と変調部１１６とに、交互に配信するようになっている。なお、変調部１１３はアンプ１１４を介して記録ヘッド２１に接続しており、変調部１１６はアンプ１１７を介してレーザ発生器３１に接続している。
図５に示す例では、「アドレスＡ１１」及び「アドレスＡ１３」が付されたデータが変調部１１３に配信され、「アドレスＡ１２」及び「アドレスＡ１４」が付されたデータが変調部１１６に配信されるようになっている。
【００８３】
そして、「アドレスＡ１１」及び「アドレスＡ１３」が付されたデータは、変調部１１３により変調され、アンプ１１４により増幅された後、記録ヘッド２１によって、（３）磁性層１１Ａに書き込まれるようになっている。
一方、「アドレスＡ１２」及び「アドレスＡ１４」が付されたデータは、変調部１１６により変調され、アンプ１１７により増幅された後、レーザ発生器３１により、光記録層１３Ａに書き込まれるようになっている。
【００８４】
（読み取り制御手段）
読み取り制御手段１２０Ｂは、第１実施形態に係る読み取り制御手段１２０Ａに対して、磁性層１１Ａのデータが書き換えられたか否かの判定方法が異なる。さらに説明すると、第２実施形態に係る読み取り制御手段１２０Ｂは、第１実施形態に係る照合部１２７に代えて、結合部１２３を備えている。
【００８５】
結合部１２３は、復調部１２２及び復調部１２６の下流側に接続しており、（１）再生ヘッド２３と光センサ４２とが読み取った分割状態のデータを、前記「アドレスＡ１１」等のヘッド情報に基づいて結合し出力部１２４に送る機能と、（２）結合できなかった場合に、警告を表示する機能を有している。
【００８６】
したがって、第２実施形態に係る記録再生システムによれば、データ記録時には、分割部１１５により所定の条件でデータを分割して、磁性層１１Ａと光記録層１３Ａとに分けて書き込み、データ再生時には、この記録方法（分割方法）に対応して、データを結合することで、磁性層１１Ａに記録されたデータが、書き換えられたか否かを容易に検知することができる。
【００８７】
≪第３実施形態≫
続いて、第３実施形態に係る磁気テープ及び記録再生システムについて、図６を参照して説明する。図６は、第３実施形態に係る磁気テープ及び記録再生システムの構成を模式的に示す図である。
【００８８】
＜磁気テープ＞
図６に示すように、第３実施形態に係る磁気テープ１０Ｂは、第１実施形態に係る磁気テープ１０Ａと同様に５層構造を有するが、反射層１２Ａと、光記録層１３Ａの積層順序が異なっている。すなわち、磁気テープ１０Ｂは、記録ヘッド２１及び再生ヘッド２３に摺接するヘッド側からバック側に向かって、磁性層１１Ａ、光記録層１３Ａ、反射層１２Ａ、支持体１４Ａ、バックコート層１５Ａとなっている。
【００８９】
＜記録再生システム＞
第３実施形態に係る記録再生システムＳ２は、第１実施形態に係る記録再生システムＳ１と同じ機器を備えているが、記録側で光記録層１３Ａにデータを書き込むデータ書き込み手段３０と、再生側で光記録層１３Ａからデータを読み取るデータ読み取り手段４０とが、磁性層１１Ａ側に配置されている点が異なる。
【００９０】
したがって、このような磁気テープ１３Ｂ及び記録再生システムＳ２によれば、磁気テープ１０Ｂの片側（磁性層１１Ａ側）に、記録ヘッド２１、データ書き込み手段３０、再生ヘッド２３、データ読み取り手段４０を配置することができる。すなわち、走行する磁気テープ１０Ｂのバックコート層１５Ａ側にスペースが無くても、記録再生システムＳ２を構成することができる。
【００９１】
≪第４実施形態≫
続いて、第４実施形態に係る磁気テープについて、図７を参照して説明する。図７は、第４実施形態に係る磁気テープの構成を示す図である。なお、図７には、第４実施形態に係る磁気テープに対しての再生ヘッド２３、データ書き込み手段３０等の配置を明確とするため、第１実施形態に係る記録再生システムＳ１を描いている。
【００９２】
＜磁気テープ＞
図７に示すように、第４実施形態に係る磁気テープ１０Ｃは４層構造を有している。さらに説明すると、磁気テープ１０Ｃは、記録ヘッド２１などに摺接するヘッド側から、ガイドローラ等に摺接するバック側に向かって、磁性層１１Ａ（第１記録層）、支持体１４Ａ、色素入バックコート層１５Ｂの順に積層して構成されている。すなわち、磁気テープ１０Ｃは、第１実施形態に係る単独の光記録層１３Ａを備えていないが、色素入バックコート層１５Ｂが、ライトワンス型の光記録層としての機能を備えている。
【００９３】
色素入バックコート層１５Ｂは、第１実施形態で説明したバックコート層１５Ａを形成する組成に加えて、光記録層１３Ａを形成する有機色素を含んでいる。このような色素入バックコート層１５Ｂは、カーボンブラック等と、有機色素と、結合剤とを含む塗布剤を塗布することで形成される。
したがって、このような磁気テープ１０Ｃによれば、磁気テープ１０Ａと同じ機能を保ちつつ、光記録層１３Ａを有さない分だけ薄くすることができる。
【００９４】
≪第５実施形態≫
続いて、第５実施形態に係る磁気テープについて、図８を参照して説明する。図８は、第５実施形態に係る磁気テープの構成を模式的に示す図である。
【００９５】
＜磁気テープ＞
図８に示すように、第５実施形態に係る磁気テープ１０Ｄは、第４実施形態に係る磁気テープ１０Ｃの構成に加えて下層１６を備えており、この下層１６は磁性層１１Ａと支持体１４Ａとの間に介在している。
【００９６】
［下層］
下層１６は、実質的に非磁性の層であり、非磁性層、下地層とも称される。下層１６は、磁性層１１Ａを形成するときに、強磁性粉末などを高精度で規則的に配列し、磁気記録密度を高めるための層である。このような下層１６は、非磁性粉末、結合剤、潤滑剤を含んでなる。
【００９７】
（非磁性粉末）
非磁性粉末としては、例えば、非磁性無機粉末、カーボンブラックを挙げることができる。非磁性無機粉末は、比較的硬いものが好ましく、モース硬度が５以上（更に好ましくは、６以上）のものが好ましい。
【００９８】
非磁性無機粉末の具体例としては、α−アルミナ、β−アルミナ、γ−アルミナ、炭化ケイ素、酸化クロム、酸化セリウム、α−酸化鉄、コランダム、窒化珪素、チタンカーバイト、二酸化チタン、二酸化珪素、窒化ホウ素、酸化亜鉛、炭酸カルシウム、硫酸カルシウム、及び硫酸バリウムを挙げることができる。これらは単独でまたは組合せて使用することができる。これらのうちでは、二酸化チタン、α−アルミナ、α−酸化鉄又は酸化クロムが好ましい。非磁性無機粉末の平均粒子径は、０．０１〜１．０μｍ（好ましくは、０．０１〜０．５μｍ、特に、０．０２〜０．１μｍ）の範囲にあることが好ましい。
【００９９】
また、カーボンブラックは、磁性層１１Ａに導電性を付与して帯電を防止すると共に、下層１６上に形成される磁性層１１Ａの平滑な表面性を確保する目的で添加される。下層１６に含まれるカーボンブラックは、その平均粒子径が３５ｎｍ以下（更に好ましくは、１０〜３５ｎｍ）であることが好ましい。カーボンブラックの添加量は、全非磁性無機粉末１００質量部に対して、３〜２０質量部であり、好ましくは、４〜１８質量部、更に好ましくは、５〜１５質量部である。
【０１００】
（結合剤）
下層１６の結合剤としては、第１実施形態に係る磁性層１１Ａにて記載した結合剤を用いることができる。結合剤は、下層１６の非磁性粉末１００質量部に対して、通常５〜５０質量部（好ましくは、１０〜３０質量部）の範囲である。なお、下層に結合剤として塩化ビニル系樹脂、ポリウレタン樹脂、及びポリイソシアネートを組み合わせて用いる場合は、全結合剤中に、塩化ビニル系樹脂が５〜７０重量％、ポリウレタン樹脂が２〜５０重量％、そしてポリイソシアネートが２〜５０重量％の範囲の量で含まれるように用いることが好ましい。なお、下層１６においても前述した磁性層１１Ａに添加することができる分散剤やその他の添加剤を添加することができる。
【０１０１】
（潤滑剤）
潤滑剤としては、例えば、脂肪酸あるいは脂肪酸エステルを使用することができる。潤滑剤の添加量は、全非磁性粉末１００質量部に対して０．２〜２０質量部の範囲内とすることが好ましい。
【０１０２】
≪第６実施形態≫
続いて、第６実施形態に係る磁気テープについて、図９を参照して説明する。図９は、第６実施形態に係る磁気テープの構成を示す斜視図である。
【０１０３】
＜磁気テープ＞
図９に示すように、第６実施形態に係る磁気テープ１０Ｅは、厚さ方向において２層構造であるが、支持体１４Ａの片面上に設けられた、磁性層１１Ｅと光記録層１３Ｅとが、走行方向に沿って２列で並んでいる。すなわち、磁性層１１Ｅと光記録層１３Ｅとが、厚さ方向に積層していないため、磁気テープ１０Ｅは薄くなる。なお、磁気テープ１０Ｅに対して、反射層１２Ａ、バックコート層１５Ａなどを適宜に設けてもよい。
【０１０４】
≪第７実施形態≫
続いて、第７実施形態に係る磁気ディスクについて、図１０を参照して説明する。図１０は、第７実施形態に係る磁気ディスクの構成を示す斜視図である。
【０１０５】
図１０に示すように、第７実施形態に係る磁気ディスク１０Ｆは、第１実施形態に係る帯状の磁気テープ１０Ａと異なり、ディスク状（円盤状）を呈している。磁気ディスク１０Ｆは、主として、基板とも称される支持体１４Ｆと、この上面（一方の面）に設けられた磁性層１１Ｆと、下面（他方の面）に設けられた光記録層１３Ｆとを備えている。なお、反射層などを適宜設けてもよい。
【０１０６】
このような磁気ディスク１０Ｆによれば、磁気ディスク１０Ｆをスピンドルモータなどで回転させることとなり、磁気テープ１０Ａを走行させる場合の送りリール、巻きリール、ガイドローラ等の磁気テープ走行手段は不要となる。
なお、このような磁気ディスク１０Ｆの場合、回転する磁性層１１Ｆにデータを書き込む記録ヘッド、データを読み取る再生ヘッドや、光記録層１３Ｆにライトワンス型でデータを書き込むデータ書き込み手段、データを読み取るデータ読み取り手段は、トラッキング機構や揺動アーム（スウィングアーム）などにより、磁気ディスク１０Ｆの略径方向に移動させる。
【０１０７】
≪第８実施形態≫
続いて、第８実施形態に係る磁気ディスクについて、図１１を参照して説明する。図１１は、第８実施形態に係る磁気ディスクの構成を示す斜視図である。
【０１０８】
＜磁気ディスク＞
図１１に示すように、第８実施形態に係る磁気ディスク１０Ｇは、第７実施形態に係る磁気ディスク１０Ｆと同様にディスク状を呈しているが、磁性層１１Ｇ及び光記録層１３Ｇとが、支持体１４Ｆの上面（片面）に設けられている。さらに説明すると、磁性層１１Ｇは内側に配置しており、光記録層１３Ｇは外側に配置している。
したがって、このような磁気ディスク１０Ｇによれば、第７実施形態に係る磁気ディスク１０Ｆに対して薄くなる。
【０１０９】
以上、本発明の好適な各実施形態について説明したが、本発明は前記実施形態に限定されず、本発明の趣旨を逸脱しない範囲で、実施形態で説明した各構成要素を適宜組み合わせてもよいし、その他に例えば以下のような適宜な変更が可能である。
【０１１０】
前記した第１実施形態では、書き換え可能な第１記録層を磁性層１１Ａ、書き換え不能なライトワンス型の第２記録層を光記録層１３Ａとした場合について説明したが、第１記録層及び第２記録層の種類はこれに限定されない。例えば、第１記録層を、ＣＤ−ＲＷ、ＤＶＤ−ＲＷなどに利用されている相変化により書き換え可能な光記録層としてもよいし、ＭＯなどに利用されている光磁気記録層としてもよい。
【図面の簡単な説明】
【０１１１】
【図１】第１実施形態に係る磁気テープ及び記録再生システムの構成を模式的に示す図である。
【図２】図１に示す制御装置の構成を示すブロック図である。
【図３】第１実施形態におけるデータの記録方式の概念図である。
【図４】第２実施形態に係る制御装置の構成を示すブロック図である。
【図５】第２実施形態におけるデータの記録方式の概念図である。
【図６】第３実施形態に係る磁気テープ及び記録再生システムの構成を模式的に示す図である。
【図７】第４実施形態に係る磁気テープの構成を示す図である。
【図８】第５実施形態に係る磁気テープの構成を示す図である。
【図９】第６実施形態に係る磁気テープの構成を示す斜視図である。
【図１０】第７実施形態に係る磁気ディスクの構成を示す斜視図である。
【図１１】第８実施形態に係る磁気ディスクの構成を示す斜視図である。
【符号の説明】
【０１１２】
Ｓ１、Ｓ２  記録再生システム
１０Ａ、１０Ｂ、１０Ｃ、１０Ｄ、１０Ｅ  磁気テープ（記録媒体）
１０Ｆ、１０Ｇ  磁気ディスク（記録媒体）
１１Ａ、１１Ｅ、１１Ｆ、１１Ｇ  磁性層（第１記録層）
１２Ａ    反射層
１３Ａ、１３Ｅ、１１Ｆ、１１Ｇ  光記録層（第２記録層）
１４Ａ、１４Ｆ  支持体
１５Ａ    バックコート層
１５Ｂ    色素入バックコート層（光記録層、第２記録層）
１６    下層（非磁性層）
２１    記録ヘッド
２３    再生ヘッド
３０    データ書き込み手段
３１    レーザ発生器
４０    データ読み取り手段
４１    レーザ発生器
４２    光センサ
１００Ａ、１００Ｂ  制御装置
１１０Ａ、１１０Ｂ  書き込み制御手段
１１２    選択部
１１５    分割部
１２０Ａ、１２０Ｂ  読み取り制御手段
１２３    結合部
１２７    照合部
Ａ０１、Ａ０２…、Ａ１１、Ａ１２…  アドレス
【図１】
2006053980.tif 000003
【図２】
2006053980.tif 000004
【図３】
2006053980.tif 000005
【図４】
2006053980.tif 000006
【図５】
2006053980.tif 000007
【図６】
2006053980.tif 000008
【図７】
2006053980.tif 000009
【図８】
2006053980.tif 000010
【図９】
2006053980.tif 000011
【図１０】
2006053980.tif 000012
【図１１】
2006053980.tif 000013